(57)【要約】【課題】採点機能を更に活用して歌唱者のカラオケに対する新たな興趣性を提供し、かつ、その意欲を向上させること、及び、満足感を高めることが可能なカラオケ装置などを提供すること。【解決手段】カラオケ装置１０は、第１の母数に基づいて第１のランキングを算出するとともに、地理的な属性、歌唱者に関する属性、又は、日時の属性など、第１の母数より小さい第２の母数による第２のランキングを算出し、第１のランキング及び第２のランキングの結果を所定のタイミングで歌唱者に提供する構成を有している。【選択図】図１
2018087995.tif 000002
【特許請求の範囲】
【請求項１】
複数の楽曲データから選択された一の楽曲データを再生して楽音を出力させるとともに、当該楽音の出力に伴って前記選択された楽曲の歌詞を表示手段に表示するカラオケシステムであって、
前記再生された楽曲データに従ってマイクロホンから入力された歌唱者の歌唱音を歌唱音データとして取得する取得手段と、
前記取得した歌唱音データと前記再生された楽曲データにおける歌唱パートの歌唱パートデータとを比較して前記歌唱者の歌唱力を採点する採点手段と、
前記採点された歌唱者の歌唱力を示す採点結果と、データベースに記録された他の歌唱者における同一の楽曲の採点結果と、に基づいて、ランキングを算出する算出手段と、
前記算出されたランキングを出力する出力手段と、
を備え、
前記算出手段が、
第１の母数に基づいて第１のランキングを算出するとともに、前記第１の母数より小さい第２の母数による第２のランキングを算出することを特徴とするカラオケシステム。
【請求項２】
請求項１に記載のカラオケシステムにおいて、
前記データベースには、前記他の歌唱者における同一の楽曲における採点結果とともに属性を示す属性情報が記録されており、
前記算出手段が、前記記録されている属性情報に基づいて、前記第１のランキング及び前記第２のランキングの少なくともいずれか一方のランキングを算出する、カラオケシステム。
【請求項３】
請求項２に記載のカラオケシステムにおいて、
前記属性には、前記楽曲データに関する属性、前記歌唱者に関する属性、及び、前記歌唱者の歌唱嗜好性に関する属性の少なくともいずれか一方が含まれる、カラオケシステム。
【請求項４】
請求項１に記載のカラオケシステムにおいて、
前記歌唱者が歌唱している現在位置を位置情報として特定する特定手段を更に備え、
前記算出手段が、前記特定した位置情報を属性情報として用いて、前記第１のランキング及び前記第２のランキングの少なくともいずれか一方のランキングを算出する、カラオケシステム。
【請求項５】
請求項１〜４のいずれかに記載のカラオケシステムにおいて、
前記算出手段が、前記歌唱者のランキングが予め定められた条件を具備する前記第２のランキングを特定しつつ、前記第１のランキング及び前記第２のランキングを算出する、カラオケシステム。
【請求項６】
複数の楽曲データから選択された一の楽曲データを再生して楽音を出力させるとともに、当該楽音の出力に伴って前記選択された楽曲の歌詞を表示手段に表示するカラオケ装置用のコンピュータを、
前記再生された楽曲データに従ってマイクロホンから入力された歌唱者の歌唱音を歌唱音データとして取得する取得手段、
前記取得した歌唱音データと前記再生された楽曲データにおける歌唱パートの歌唱パートデータとを比較して前記歌唱者の歌唱力を採点する採点手段、
前記採点された歌唱者の歌唱力を示す採点結果と、データベースに記録された他の歌唱者における同一の楽曲の採点結果と、に基づいて、ランキングを算出する算出手段、及び、
前記算出されたランキングを出力する出力手段、
として機能させ、
前記算出手段として、
第１の母数に基づいて第１のランキングを算出するとともに、前記第１の母数より小さい第２の母数による第２のランキングを算出するように機能させることを特徴とするプログラム。
【請求項７】
複数の楽曲データから選択された一の楽曲データを再生して楽音を出力させるとともに、当該楽音の出力に伴って前記選択された楽曲の歌詞を表示手段に表示するカラオケ装置にデータを提供するサーバ装置であって、
前記再生された楽曲データに従ってマイクロホンから入力された歌唱者の歌唱音を歌唱音データとして取得する取得手段と、
前記取得した歌唱音データと前記再生された楽曲データにおける歌唱パートの歌唱パートデータとを比較して前記歌唱者の歌唱力を採点する採点手段と、
前記採点された歌唱者の歌唱力を示す採点結果と、データベースに記録された他の歌唱者における同一の楽曲の採点結果と、に基づいて、ランキングを算出する算出手段と、
前記算出されたランキングを前記カラオケ装置に配信する配信手段と、
を備え、
前記算出手段が、
第１の母数に基づいて第１のランキングを算出するとともに、前記第１の母数より小さい第２の母数による第２のランキングを算出することを特徴とするサーバ装置。
【請求項８】
複数の楽曲データから選択された一の楽曲データを再生して楽音を出力させるとともに、当該楽音の出力に伴って前記選択された楽曲の歌詞を表示手段に表示するカラオケ装置にデータを提供するサーバ装置を、
前記再生された楽曲データに従ってマイクロホンから入力された歌唱者の歌唱音を歌唱音データとして取得する取得手段、
前記取得した歌唱音データと前記再生された楽曲データにおける歌唱パートの歌唱パートデータとを比較して前記歌唱者の歌唱力を採点する採点手段、
前記採点された歌唱者の歌唱力を示す採点結果と、データベースに記録された他の歌唱者における同一の楽曲の採点結果と、に基づいて、ランキングを算出する算出手段、及び、
前記算出されたランキングを前記カラオケ装置に配信する配信手段、
として機能させ、
前記算出手段として、
第１の母数に基づいて第１のランキングを算出するとともに、前記第１の母数より第２の母数による第２のランキングを算出するように機能させることを特徴とするプログラム。
【請求項９】
複数の楽曲データから選択された一の楽曲データを再生して楽音を出力させるとともに、当該楽音の出力に伴って前記選択された楽曲の歌詞を表示手段に表示する再生工程と、
前記再生された楽曲データに従ってマイクロホンから入力された歌唱者の歌唱音を歌唱音データとして取得する取得工程と、
前記取得した歌唱音データと前記再生された楽曲データにおける歌唱パートの歌唱パートデータとを比較して前記歌唱者の歌唱力を採点する採点工程と、
前記採点された歌唱者の歌唱力を示す採点結果と、データベースに記録された他の歌唱者における同一の楽曲の採点結果と、に基づいて、ランキングを算出する算出工程と、
前記算出されたランキングを提供する提供工程と、
を含み、
前記ランキングを算出する際に、第１の母数に基づいて第１のランキングを算出するとともに、前記第１の母数より小さい第２の母数による第２のランキングを算出することを特徴とするランキング提供方法。
【発明の詳細な説明】
【技術分野】
【０００１】
本発明は、カラオケシステムなどの技術分野に属する。
【背景技術】
【０００２】
近年、伴奏のみからなるカラオケ用楽曲データ（以降楽曲データと表示する。なお、楽曲データは、カラオケ用に限定するものではない。）を再生し、当該再生された楽曲データに併せて歌唱者が歌うカラオケは、娯楽や趣味として認知されている。また、カラオケの楽曲データを再生する際に、背景画像として種々の画像を再生し、モニタその他表示装置に歌詞とともに表示させることが広く行われている。
【０００３】
また、最近では、カラオケの歌唱における巧拙を採点する機能を有するカラオケ装置も登場し、例えば、女性ボーカルの楽曲を男性が歌唱した場合の採点など種々の採点機能を有するカラオケ装置も登場している（例えば、特許文献１）。
【先行技術文献】
【特許文献】
【０００４】
【特許文献１】特開２００４−２７９４６２号公報
【発明の概要】
【発明が解決しようとする課題】
【０００５】
しかしながら、特許文献１などのカラオケシステムにあっては、歌唱者のカラオケに対する興趣性、意欲及び満足度を向上させることについては十分と言えない。
【０００６】
本発明は、上記課題を解決するためになされたものであり、その目的は、採点機能を更に活用して歌唱者のカラオケに対する新たな興趣性を提供し、かつ、その意欲を向上させること、及び、満足感を高めることが可能なカラオケシステムなどを提供することにある。
【課題を解決するための手段】
【０００７】
上記課題を解決するため、本発明のカラオケ装置等は、複数の楽曲データから選択された一の楽曲データを再生して楽音を出力させるとともに、当該楽音の出力に伴って前記選択された楽曲の歌詞を表示手段に表示するカラオケ装置あって、前記再生された楽曲データに従ってマイクロホンから入力された歌唱者の歌唱音を歌唱音データとして取得する取得手段と、前記取得した歌唱音データと前記再生された楽曲データにおける歌唱パートの歌唱パートデータとを比較して前記歌唱者の歌唱力を採点する採点手段と、前記採点された歌唱者の歌唱力を示す採点結果と、データベースに記録された他の歌唱者における同一の楽曲の採点結果と、に基づいて、ランキングを算出する算出手段と、前記算出されたランキングを出力する出力手段と、を備え、前記算出手段が、第１の母数に基づいて第１のランキングを算出するとともに、前記第１の母数より小さい第２の母数による第２のランキングを算出する構成を有している。
【０００８】
この構成により、本発明のカラオケ装置等は、例えば、歌唱者の全国ランキング、アーティストなどの楽曲データに関する属性、又は歌唱者の好む楽曲の年代やジャンルなどの歌唱者嗜好性に関する属性などの第１の母数に基づいてランキングを算出して出力するとともに、例えば、地域又は区域などの地理的な属性、年齢や性別など歌唱者に関する属性、又は、採点された日時の属性などの、第１の母数より小さい第２の母数による第２のランキングを算出して出力することによって、歌唱者のカラオケに対する新たな興趣性を提供し、かつ、その意欲を向上させること、及び、満足感を高めることができる。
【発明の効果】
【０００９】
本発明のカラオケ装置等は、第１の母数の第１のランキングを算出して出力するとともに、当該第１の母数より小さい第２の母数による第２のランキングを算出して出力することによって、歌唱者のカラオケに対する新たな興趣性を提供し、かつ、その意欲を向上させること、及び、満足感を高めることができる。
【図面の簡単な説明】
【００１０】
【図１】本発明に係るカラオケシステムにおける一実施形態の構成を示すシステム構成図である。
【図２】一実施形態のカラオケ装置の構成を示すブロック図である。
【図３】一実施形態のランキング算出部において実行されるランキング処理を説明するための図（その１）である。第１実施形態における設定処理を説明するための図である。
【図４】一実施形態のランキング算出部において実行されるランキング処理を説明するための図（その２）である。
【図５】一実施形態においてランキング算出部においてランキング処理の結果であって、表示部に表示される画像の一例である。一例である。
【図６】一実施形態においてランキング算出部においてランキング処理の結果であって、表示部に表示される画像のその他の例である。
【図７】一実施形態のカラオケ装置において実行されるランキング算出処理を含むカラオケ再生処理の動作を示すフローチャートである。
【発明を実施するための形態】
【００１１】
以下、本発明の実施形態について、図面を参照しながら説明する。以下に説明する実施形態は、店舗に設置されたカラオケ装置に対してネットワークを介してカラオケサービスを提供するカラオケシステムに対して、本発明のカラオケ装置、サーバ装置、プログラム及びカラオケシステムを適用した場合の実施形態である。
【００１２】
［１］カラオケシステム
まず、図１を用いて本実施形態のカラオケシステム１の概要構成について説明する。
【００１３】
なお、図１は、本実施形態におけるカラオケシステム１の構成を示すシステム構成図である。また、図が煩雑になることを防止するために、図１においては、一部のカラオケ装置１０のみを示している。すなわち、実際のカラオケシステム１においては、図１に表示するよりも多数のカラオケ装置１０が存在している。
【００１４】
本実施形態のカラオケシステム１は、データ提供サーバ装置３０からネットワーク２０を介して新譜などの楽曲データを提供するとともに、カラオケ装置１０に保存されている楽曲データを再生して楽音を出力させ、楽音の出力に伴って当該楽曲の歌詞を表示するシステムである。また、カラオケシステム１は、歌唱終了後その他のタイミングにおいて歌唱者Ａの同一楽曲における他の歌唱者と比較したランキングを歌唱者Ａに提供するシステムである。
【００１５】
具体的には、本実施形態のカラオケシステム１は、家庭や店舗に設置されるカラオケ装置１０と、ネットワーク２０と、ネットワーク２０を介して新譜などの楽曲データをカラオケ装置１０に提供する各種のデータを管理及びその提供を行うカラオケ用のデータ提供サーバ装置（以下、「データ提供サーバ装置」という。）３０と、を有し、上記のシステムを実現するようになっている。
【００１６】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００１７】
本実施形態のカラオケ装置１０は、カラオケ店舗にある装置の他に、家庭用ゲーム機、パーソナルコンピュータ、携帯型電話機、スマートフォン、タブレット型情報端末装置などの装置であり、
（１）歌唱者Ａの選曲に基づいて、カラオケ装置１０に保存された特定の楽曲データを取得する機能、
（２）取得した楽曲データを再生して楽音を出力させるとともに、楽音の出力に伴って当該楽曲の歌詞を表示する楽曲データ再生機能、及び
（３）歌唱終了後その他のタイミングにおいて歌唱者Ａの同一楽曲における他の歌唱者と比較したランキングを提供する採点及びランキング機能、
を有している。
【００１８】
特に、カラオケ装置１０は、全体（全国）のランキングとして、第１の母数に基づいて第１のランキングを算出するとともに、
（Ａ）都道府県、区市町村及びカラオケ装置１０が設置されている店舗を含む地域又は区域の地理的な属性（以下、「地理的属性」ともいう。）、
（Ｂ）年齢及び性別を含む歌唱者Ａに関する属性、又は、
（Ｃ）採点された日時の属性
に限定した第２の母数による第２のランキングを算出し、第１のランキング及び第２のランキングの結果を所定のタイミングで歌唱者Ａに提供する構成を有している。
【００１９】
データ提供サーバ装置３０は、
（１）楽曲音源データ及びテロップデータを含む新譜などの楽曲データと、
（２）楽曲データ毎に、すなわち、選曲番号その他の識別情報に関する情報と、
（３）歌唱者毎に歌唱者ＩＤに対応付けられて、カラオケに関するサービスを受けるために登録されたカラオケに関する情報、歌唱者の属性情報、歌唱者の嗜好情報、歌唱者の過去の歌唱履歴の楽曲ごとの採点結果を含む歌唱者情報と、
が記録されるデータベース（以下、「ＤＢ」という。）３００を有している。
【００２０】
また、データ提供サーバ装置３０は、カラオケ装置１０からの要求又は予め設定された条件に従って新譜などの楽曲データを当該カラオケ装置１０に提供するとともに、所定のタイミングで、該当する楽曲データの採点情報をカラオケ装置１０に提供する構成を有している。
【００２１】
なお、本実施形態においては、各歌唱者の歌唱者ＩＤに紐づいて、歌唱者毎の属性情報と、歌唱者毎に過去の歌唱履歴の楽曲毎の採点結果を含む歌唱者情報と、を構成するデータ（以下、「採点情報」という。）を用いるようになっており、属性情報には、上述の（Ａ）〜（Ｃ）の各属性の情報が記録されるようになっている。ただし、一部の歌唱者については一部の属性情報が含まれていない場合、又は、全ての属性情報が含まれていなくてもよい。また、任意に付与された歌唱者ＩＤとは、ＤＢ３００に登録する際に新規のＩＤが付与されることをいう。
【００２２】
このような構成を有することによって、本実施形態のカラオケシステム１は、歌唱者のカラオケに対する新たな興趣性を提供し、かつ、その意欲を向上させること、及び、満足感を高めることができるようになっている。
【００２３】
［２］カラオケ装置
次に、図２を用いて本実施形態のカラオケ装置１０について説明する。なお、図２は、本実施形態のカラオケ装置１０の構成を示すブロック図である。
【００２４】
本実施形態のカラオケ装置１０は、図２に示すように、ネットワーク２０に通信接続され、データ提供サーバ装置３０から新譜などの楽曲データ及び採点情報を取得する通信制御部１１０と、楽曲データを再生するカラオケ再生部１２０と、マイクロホンＭから入力された音声信号に対して所定の処理を行う音声入力処理部１３０と、再生された楽曲データに対応してカラオケ用の楽音をスピーカＳＰに拡声させる拡声処理部１３１と、を有している。
【００２５】
また、カラオケ装置１０は、楽曲データの再生中に背景画像、カラオケ画像及び歌詞を表示するための表示部１４０と、表示部１４０を制御する表示制御部１５０と、各種の情報に対応するデータ、データ提供サーバ装置３０から取得した新譜を含む楽曲データ及びそれに対応した選曲番号が記録される記録部１６０と、操作部１７０と、管理制御部１８０と、ＲＯＭ／ＲＡＭ１８１と、タイマー１８２と、を有している。
【００２６】
そして、カラオケ装置１０は、楽曲データの再生中に当該楽曲データとマイクロホンＭから取得した音声信号とに基づいて採点を行うとともに、ランキングを含めてその結果を表示部１４０に表示する採点処理部２００と、有している。
【００２７】
なお、カラオケ装置１０の各部は、バスＢによって相互に接続されており、データの授受を実行している。
【００２８】
通信制御部１１０は、管理制御部１８０の制御の下、ネットワークを介してＤＢ３００に接続して通信回線を構築し、新譜などの楽曲データの授受のための通信を行う。また、操作部１７０によって入力された楽曲データを指定する選曲番号のデータ（以下、「選曲番号データ」という。）から記録部１６０に該当する楽曲がない場合に、通信制御部１１０は、ＤＢ３００から、選曲番号データの選曲番号に対応付けられて記録されている楽曲データを取得し、カラオケ再生部１２０に出力するようになっている。
【００２９】
また、通信制御部１１０は、楽曲データの再生が終了するタイミング又はその他のタイミングで該当する楽曲データの採点情報を取得し、取得した採点情報を採点処理部２００に提供する。
【００３０】
カラオケ再生部１２０は、管理制御部１８０の制御の下、操作部１７０を介して入力された選曲番号から出力された選曲番号データに基づいて、記録部１６０から取得又は通信制御部１１０を介してＤＢ３００から楽曲データを取得する。そして、カラオケ再生部１２０は、取得した楽曲データに基づいてＭＩＤＩ音源を制御する再生処理を実行する。
【００３１】
また、カラオケ再生部１２０は、楽曲データの再生開始時に、楽曲データに基づいて記録部１６０に記録された背景画像データを選択して出力開始を指示する。
【００３２】
さらに、カラオケ再生部１２０は、再生処理によって生成された楽音データを拡声処理部１３１に出力するとともに、歌詞データを表示部１４０に所定のタイミングにて出力するようになっている。
【００３３】
音声入力処理部１３０は、マイクロホンＭから入力された信号を増幅その他の処理を実行しつつ、デジタル信号に変換し、拡声処理部１３１に出力するとともに採点処理部２００に出力する。なお、例えば、本実施形態の音声入力処理部１３０は、本発明の取得手段を構成する。
【００３４】
表示部１４０は、例えば、有機ＥＬ（Ｅｌｅｃｔｒｏ−Ｌｕｍｉｎｅｓｃｅｎｃｅ）素子又は液晶表示素子によって構成され、表示制御部１５０の制御にしたがって所定の映像信号を表示する。具体的には、表示部１４０は、背景画像を表示しつつ、音データの出力、すなわち、再生される楽曲に併せて歌詞データを表示する。また、表示部１４０は、ランキングを含め採点結果を表示する。なお、例えば、本実施形態の表示部１４０は、本発明の出力手段を構成する。
【００３５】
表示制御部１５０は、管理制御部１８０の制御の下、表示部１４０に所定の画像を描画させるために必要な描画データを生成し、生成した描画データを当該表示部１４０に出力する。
【００３６】
記録部１６０には、ＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）により構成され、その記録領域内に曲調毎に対応付けられた背景画像のデータ（以下、「背景画像データ」という。）と、楽曲データが記録されている。なお、背景画像は、楽曲データに含まれる曲調情報その他の情報によって選択される。
【００３７】
操作部１７０は、カラオケ装置１０本体に設けられ、又は、リモートコントロールユニットによって構成される。そして、操作部１７０は、各種の確認ボタン、各操作指令を入力する操作ボタンその他のキーにより構成され、各操作を行う際に用いられる。
【００３８】
管理制御部１８０は、主に中央演算処理装置（ＣＰＵ）によって構成されるとともに、キー入力ポート、表示制御ポート等の各種入出力ポートを含み、カラオケ装置１０の全般的な機能を総括的に制御する。
【００３９】
ＲＯＭ／ＲＡＭ１８１には、カラオケ装置１０の駆動に必要な各種のプログラムが記録されている。また、ＲＯＭ／ＲＡＭ１８１は、カラオケ再生部１２０及び採点処理部２００が各種の処理を実行する際のワークエリアとして用いられる。さらに、ＲＯＭ／ＲＡＭ１８１には、店舗運営者の操作に基づいて登録されたカラオケ装置１０が設置されている店舗の住所を含む店舗情報及びＩＰアドレス情報が記録される。
【００４０】
なお、本実施形態においては、店舗情報及びＩＰアドレス情報は、採点された結果を採点情報として新たにＤＢ３００に登録する際に、地理的属性の情報として登録するために用いられる。
【００４１】
タイマー１８２は、管理制御部１８０の制御の下、日付けも含めて現在時刻を出力する。
【００４２】
採点処理部２００は、独立した中央演算処理装置（ＣＰＵ）によって構成され、又は、管理制御部１８０の中央演算処理装置（ＣＰＵ）を用いて構成される。また、採点処理部２００は、管理制御部１８０による制御の下、所定のアプリケーションを実行することによって、採点処理を実行して採点結果の算出及びその表示を行う採点実行部２１０と、ＤＢ３００に記録された採点情報を母数とし、算出した採点結果を示す第１のランキング及び属性情報に限定した第２のランキングを算出する処理（以下、「ランキング算出処理」という。）を実行するランキング算出部２２０と、を実現する。
【００４３】
なお、例えば、本実施形態の採点実行部２１０は、本発明の採点手段を構成し、ランキング算出部２２０は、本発明の算出手段を構成する。
【００４４】
採点実行部２１０は、歌唱者Ａのリクエストに応じて（すなわち、操作部１７０を介して入力された歌唱者Ａの指示に基づいて）、楽曲データの再生中に当該楽曲データの主旋律のデータ又は歌唱者Ａの歌唱をサポートするためのメロディ（ガイドメロディ）のデータとマイクロホンＭから取得した音声信号とに基づいて採点処理を実行する。そして、採点実行部２１０は、楽曲データの再生中の所定のタイミング又は終了後に採点結果を算出し、表示制御部１５０と連動し、表示部１４０に算出した採点結果を表示する。
【００４５】
具体的には、採点実行部２１０は、カラオケ再生部１２０から出力された主旋律又はガイドメロディの音信号と、音声入力処理部１３０を介してマイクロホンＭから歌唱者Ａの音信号と、を受信し、音波形や信号の有無に基づいて、音程、タイミング及び音レベルなどの周波数解析を含む信号の差分を常時抽出し、最終的にそのトータルで採点を実行する。
【００４６】
ランキング算出部２２０は、採点結果と、データ提供サーバ装置３０から取得した同一楽曲における採点情報を取得するとともに、取得した採点情報から第１のランキング及び第２のランキングを算出するランキング算出処理を実行する。そして、ランキング算出部２２０は、表示制御部１５０と連動し、表示部１４０に算出した第１のランキング及び第２のランキングを表示する。なお、本実施形態のランキング算出部２２０の詳細については、後述する。
【００４７】
［３］ランキング算出部
次に、図３〜図６を用いて本実施形態のランキング算出部２２０の詳細について説明する。なお、図３及び４は、ランキング算出部２２０は、実行されるランキング処理を説明するための図であり、図５及び図６は、一実施形態においてランキング算出部においてランキング処理の結果であって、表示部１４０に表示される画像の一例である。
【００４８】
ランキング算出部２２０は、歌唱者Ａの指示に基づいて、採点処理を実行してランキング表示を行う採点ランキング設定がＯＮとなると、楽曲データの選曲が設定された際、楽曲データの再生中又は楽曲データの再生が終了した際に、ＤＢ３００に記録された採点情報から同一楽曲における歌唱者毎の採点情報をデータ提供サーバ装置３０から取得する。
【００４９】
また、ランキング算出部２２０は、カラオケ再生前に、通信制御部１１０を介してＤＢ３００に記録された歌唱者Ａの属性情報をデータ提供サーバ装置３０から取得しＲＯＭ／ＲＡＭ１８１に記録する。
【００５０】
そして、ランキング算出部２２０は、カラオケ再生部１２０によって楽曲データの再生が終了するタイミング、又は、再生中の歌唱者Ａが希望するタイミング若しくは間奏中などの予め定められたタイミングに、歌唱者Ａと取得した採点情報に関連付られた他の歌唱者の数を母数とする歌唱者Ａの採点結果を反映した第１のランキングを算出する。
【００５１】
また、ランキング算出部２２０は、予め定められたランキング属性に基づいて、歌唱者Ａと取得した採点情報の中から該当する属性に該当する他の歌唱者の採点情報を抽出し、歌唱者Ａと該当する他の歌唱者の数を母数とし、歌唱者Ａの採点結果を反映した第２のランキングを算出する。すなわち、ランキング算出部２２０は、第１の母数から所定の属性に限定した第２の母数による第２のランキングを算出する。
【００５２】
具体的には、図３（Ａ）に示すように、地域の属性がランキング属性の場合には、ランキング算出部２２０は、歌唱者Ａと取得した採点情報に関連付けられた他の歌唱者の数を母数とする第１のランキングを、全国ランキング（又は全体ランキング）として、算出する。そして、ランキング算出部２２０は、取得した採点情報の中から、例えば、「東京都」及び「港区」の地理的属性の属性情報を有する採点情報をそれぞれ抽出し、当該抽出した採点情報に関連付けられた他の歌唱者と歌唱者Ａの数を母数とする歌唱者Ａの採点結果を反映した第２のランキングをそれぞれ算出する。
【００５３】
図３（Ａ）は、楽曲データ「男々しくて」を歌唱した歌唱者Ａにおいて、第１のランキングとしての全国ランキングと、第２のランキングとしての「東京都」ランキング及び「港区」ランキングとの採点イメージを示している。
【００５４】
また、図３（Ｂ）に示すように、性別の属性がランキング属性の場合には、ランキング算出部２２０は、歌唱者Ａと取得した採点情報に関連付られた他の歌唱者の数を母数とし、歌唱者Ａの採点結果を反映した第１のランキングを、全体ランキングとして、算出する。なお、ランキング算出部２２０は、第１のランキングにおいて、算出する基準名称が異なるだけであり、基本的に、全国ランキングと算出結果は同じである。
【００５５】
そして、ランキング算出部２２０は、採点情報の中から、例えば、「男性」の性別の属性情報を有する採点情報を抽出し、当該抽出した採点情報に関連付けられた他の歌唱者と歌唱者Ａの数を母数とし、歌唱者Ａの採点結果を反映した第２のランキングを算出する。ただし、ランキング算出部２２０は、取得した各採点情報が性別の属性情報を有していない場合には、当該採点情報を除外して第２のランキングを算出する。
【００５６】
図３（Ｂ）には、楽曲データ「男々しくて」を歌唱した歌唱者Ａにおいて、第１のランキングとしての全体ランキングと、第２のランキングとしての「男性」ランキングとの採点イメージを示している。
【００５７】
同様に、図４（Ａ）及び（Ｂ）に示すように、年齢（年代）又は職業の属性がランキング属性の場合には、ランキング算出部２２０は、歌唱者Ａと取得した採点情報に関連付けられた他の歌唱者の数を母数とする第１のランキングを、全国ランキングと同様に、全体ランキングとして、算出する。
【００５８】
そして、ランキング算出部２２０は、採点情報の中から、例えば、「３０代」又は「学生」の属性情報を有する採点情報を抽出し、当該抽出した採点情報に関連付けられた他の歌唱者と歌唱者Ａの数を母数とし、歌唱者Ａの採点結果を反映した第２のランキングを算出する。ただし、取得した各採点情報が年齢又は職業の属性情報を有していない場合には、当該採点情報を除外して第２のランキングを算出する。
【００５９】
一方、ランキング算出部２２０は、第１のランキング及び第２のランキングを算出すると、表示制御部１５０と連動し、その結果を表示部１４０に表示する。なお、表示部１４０は、まず、第１のランキングを表示し、その後に表示を切り替えて、第２のランキングを表示する。なお、第２のランキングが複数算出されている場合には、ランキング算出部２２０は、母数の大きなランキングから表示する。
【００６０】
例えば、図３（Ａ）の場合には、ランキング算出部２２０は、図５に示すように、まず、全国ランキングを表示部１４０に表示するとともに、その後に母数が大きい「東京部」の第２のランキングを表示部１４０表示し、最終的に「港区」の第２のランキングを表示部１４０に表示する。
【００６１】
なお、ランキング属性としては、上述したように、
（Ａ）都道府県、区市町村及びカラオケ装置１０が設置されている店舗を含む地域又は区域の地理的属性、
（Ｂ）年齢及び性別を含む歌唱者Ａに関する属性、又は、
（Ｃ）採点された日時の属性
を用いる。
【００６２】
なお、採点された日時の属性とは、歌唱者Ａが歌唱した日を基準に直近１週間以内、直近１か月以内などの属性である。
【００６３】
また、本実施形態のランキング算出部２２０は、地理的属性の場合であって、住所の場合には、予め定められた都道府県及び市区町村によって第２のランキングを算出する範囲を特定するが、ＩＰアドレスの場合には、ネットワーク２０を介して図示しないサーバ装置と連動し、住所に変換し、当該変換した住所に基づいて第２のランキングを算出する。
【００６４】
さらに、本実施形態のランキング算出部２２０は、予め歌唱者Ａによって設定されたランキング属性に基づいて第２のランキングを算出しているが、ＲＯＭ／ＲＡＭ１８１に記録された歌唱者Ａの各属性に基づいて、それぞれ、採点情報から該当する採点情報を抽出して第２のランキングを算出し、最上位の順位を有するランキングなど予め定められた条件を有する第２のランキングを第１のランキングとともに表示部１４０に表示してもよい。
【００６５】
この場合には、歌唱者Ａに一番よい結果のランキングを提供することができるので、歌唱者Ａのカラオケに対する新たな興趣性を提供し、かつ、その意欲を向上させること、及び、満足感を高めることができる。
【００６６】
またさらに、本実施形態のランキング算出部２２０は、歌唱者Ａの設定したランキング属性に基づいて第２のランキングを算出しているが、設定されたランキング属性の種別を歌唱者Ａによって変更し、ランダムに変更し、又は、所定の条件に基づいて変更し、歌唱者Ａが設定したランキング属性に基づく第２のランキングとともに、変更したランキング属性の種別に基づく第２のランキングを算出し、表示してもよい。
【００６７】
例えば、図３（Ａ）の場合に、「大阪府」とランダムに変更した場合には、図６（Ａ）に示すように、当該第２のランキングを表示部１４０に表示し、また、予め定められた条件としてランキングアップするランキング属性の種別に変更することが設定されている場合には、同レベルの属性の種別（例えば、東京都の場合には、他の都道府県）を変更して第２のランキングを算出するようになっており。例えば、「沖縄県」でランキングがアップする場合には、図６（Ｂ）に示すように、当該第２のランキングを表示部１４０に表示してもよい。
【００６８】
［４］ランキング算出処理を含むカラオケ再生処理
次に、図７を用いて本実施形態のカラオケ装置１０において実行されるランキング算出処理を含むカラオケ再生処理について説明する。なお、図７は、本実施形態のカラオケ装置１０において実行されるランキング算出処理を含むカラオケ再生処理の動作を示すフローチャートである。
【００６９】
本動作において、データ提供サーバ装置３０のＤＢ３００には、選曲される楽曲データの採点情報及び歌唱する歌唱者Ａの歌唱者情報が既に記録されているものとする。
【００７０】
また、本動作に先立ちカラオケ装置１０においては、管理制御部１８０が、所定のホーム画面を表示させつつ、歌唱者Ａによるカラオケの再生指示を待機する状態となっているものとする。
【００７１】
まず、管理制御部１８０は、操作部１７０を介してカラオケ再生指示とともに採点処理の実行開始指示を検出する（ステップＳ１００）。このとき、管理制御部１８０は、歌唱者Ａの操作部１７０への操作に基づいてデータ提供サーバ装置３０にログインを実行し、当該ログインによって行うことで歌唱者を特定する。
【００７２】
次いで、管理制御部１８０は、データ提供サーバ装置３０からＤＢ３００に記録された歌唱者Ａの性別及び年齢などの属性を示す属性情報を取得し、ＲＯＭ／ＲＡＭ１８１に記録する（ステップＳ１０１）。
【００７３】
次いで、管理制御部１８０は、表示制御部１５０及び操作部１７０と連動して、第２のランキングを算出する際のランキング属性を設定し、設定したランキング属性の情報をＲＯＭ／ＲＡＭ１８１に記録する（ステップＳ１０２）。
【００７４】
次いで、管理制御部１８０は、操作部１７０を介してカラオケの再生指示及び選曲番号を検出すると（ステップＳ１０３）、記録部１６０から楽曲を取得し又は当該データ提供サーバ装置３０と連動し、ＤＢ３００から該当する楽曲データを取得する（ステップＳ１０４）。
【００７５】
次いで、管理制御部１８０は、取得した楽曲データに含まれる曲調情報に基づいてカラオケ再生中に再生する背景画像の画像データを記録部１６０から取得する（ステップＳ１０５）。
【００７６】
次いで、管理制御部１８０は、カラオケ再生部１２０に楽曲データの再生を開始させるとともに、採点実行部２１０に採点処理を開始させる（ステップＳ１０６）。なお、管理制御部１８０は、楽曲データの再生が開始されると、背景画像を再生しつつ、再生された楽曲データ及び歌唱者Ａの声データとともにミキシングして拡声処理部１３１を介してスピーカＳＰから音を出力する。また、管理制御部１８０は、採点実行部２１０に楽曲データに含まれるガイドメロディデータと音声入力処理部１３０を介して取得した歌唱者Ａの歌唱データとの比較を開始させて採点処理を開始させる。
【００７７】
次いで、管理制御部１８０は、楽曲データの再生が終了したことを検出すると（ステップＳ１１１）、採点実行部２１０に採点を終了させて採点結果を算出する（ステップＳ１１２）。
【００７８】
次いで、管理制御部１８０は、ランキング算出部２２０に通信制御部１１０を介して再生した楽曲データと同一楽曲における採点情報を取得させる（ステップＳ１１３）。
【００７９】
次いで、ランキング算出部２２０は、ＲＯＭ／ＲＡＭ１８１に記録された店舗情報及び属性情報を読み出すとともに（ステップＳ１１４）、取得した採点情報と読み出した属性情報とに基づいて、算出され採点結果に対する第１のランキング及び第２のランキングを算出し、表示制御部１５０と連動し、そのランキング結果を表示部１４０に表示させる（ステップＳ１１５）。なお、本動作においては、第２のランキングのランキング属性は、予め定められているものとする。また、この時点において歌唱者Ａの操作部１７０における操作に基づいて、ランキング属性を変更して第２のランキングを再度算出して表示してもよい。
【００８０】
最後に、ランキング算出部２２０は、採点結果をランキング処理に用いた店舗情報、属性情報及び日付けも含む現在時刻を示す日時情報とともにデータ提供サーバ装置３０に提供し、ＤＢ３００に登録させて（ステップＳ１１６）、本動作を終了させる。
【００８１】
以上、本実施形態のカラオケシステム１は、例えば、歌唱者Ａの全国ランキングなどの第１の母数に基づいてランキングを算出して出力するとともに、例えば、地域又は区域などの地理的な属性、年齢や性別など歌唱者Ａに関する属性、などの、第１の母数から所定の属性に限定した第２の母数による第２のランキングを算出して出力することによって、歌唱者Ａのカラオケに対する新たな興趣性を提供し、かつ、その意欲を向上させること、及び、満足感を高めることができる。
【００８２】
［４］変形例
［４．１］変形例１
本実施形態においては、地理的属性として、ＲＯＭ／ＲＡＭ１８１に記録されている店舗の住所を含む店舗情報又はＩＰアドレスを用いているが、カラオケ装置１０のリモートコントロールユニットとして登録された、又は、当該カラオケ装置１０とネットワーク２０を介して接続された、歌唱者Ａが保有する携帯用通信端末装置のＧＰＳ機能を用いて取得した位置情報を用いてもよい。
【００８３】
この場合には、例えば、携帯用端末装置は、ネットワーク２０を介してＧＰＳ（Ｇｌｏｂａｌ  Ｐｏｓｉｔｉｏｎｉｎｇ  Ｓｙｓｔｅｍ）衛星の位置を認識しつつ、当該ＧＰＳ衛星から送信された衛星信号（ＧＰＳ信号）を検出する。そして、携帯用端末装置は、当該検出したＧＰＳ信号に基づいて携帯用通信端末装置の現在位置の緯度及び経度によって示される座標値を算出（すなわち、検出）する。また、現在位置検出部は、この算出された座標値を位置情報としてカラオケ装置１０に提供する。
【００８４】
なお、携帯用端末装置が、電話機能や近距離無線機能を有している場合には、電話や近距離無線に用いる電波を電話基地局等において受信した方角と電波強度に基づいて自機の現在位置を算出（検出）してもよい。
【００８５】
また、携帯用端末装置は、例えば、携帯型電話機、タブレット型情報通信端末装置、スマートフォン、又は、携帯型ゲーム装置等の通信端末装置である。
【００８６】
さらに、本実施形態のランキング算出部２２０は、現在位置情報を取得すると、ネットワーク２０を介して図示しないサーバ装置と連動し、住所に変換し、当該変換した住所に基づいて第２のランキングを算出することになる。
【００８７】
また、ＧＰＳ機能ではなく、カラオケ装置１０を管理するデータ提供サーバ装置や管理センターに、カラオケ装置１０の識別情報と位置情報を予めデータベースとして管理しておき、個々のカラオケ装置１０の位置を認識してもよい。
【００８８】
［４．２］変形例２
本実施形態のカラオケ装置１０は、採点処理及び第１のランキング及び第２のランキングの算出を行うランキング処理を実行しているが、データ提供サーバ装置３０に採点処理部を設け、採点処理、及び、ランキング算出処理の少なくともいずれか一方を実行させてもよい。
【００８９】
例えば、この場合には、カラオケ装置１０は、採点結果の算出のみを実行し、その採点結果を通信制御部１１０を介してデータ提供サーバ装置３０に送信する。一方、データ提供サーバ装置３０は、歌唱者Ａの属性情報、採点結果、他の歌唱者の属性情報及び採点結果に基づいて第１のランキング及び第２のランキングを算出する。したがって、この場合には、データ提供サーバ装置３０からカラオケ装置１０に対して歌唱者Ａの属性情報や、他の歌唱者の採点結果を送る必要がなくなるので、データ通信の通信量を抑制することができる。
【００９０】
また、本実施形態のカラオケ装置では、ネットワークを介してデータ提供サーバ装置３０と種々のデータの授受を実行することについて説明したが、選曲から採点処理時までネットワークを接続しないカラオケ装置１０であってもよい。例えば、カラオケ装置１０には、予め楽曲データが記録された記録部１６０と、当該カラオケ装置１０を利用した歌唱者の属性情報と、歌唱者毎の採点結果をデータ管理する管理部と、を有し、全ての処理をスタンドアローン型として実行してもよい。なお、この場合であっても、新譜の楽曲データをダウンロードさせることができるようになっており、当該ダウンロードする際に、全国の歌唱者毎の属性情報や、歌唱履歴の楽曲データ毎の採点結果のデータをカラオケ装置１０に取得させ、ランキングに使用することもできるようになっている。
【００９１】
このようなカラオケ装置は、ネットワーク環境が整っていない場所でも第１のランキング、第２のランキングを表示することが可能となる。
【００９２】
［４．３］変形例３
本実施形態のカラオケ装置１０においては、第１のランキングとして全部の採点情報を用いるとともに、第２のランキングの母数が、第１のランキングから所定に属性を限定した母数によって、第２のランキングを算出していればよい。例えば、第１のランキングとして地理的属性「東京都」の場合に、第２のランキングとして「港区」を用いてランキングを算出してもよい。
【００９３】
また、本実施形態のカラオケ装置１０においては、歌唱者Ａが歌唱した楽曲データのアーティストの楽曲全て、楽曲データのジャンルの全て、又はその楽曲の年代の楽曲全てを第１のランキングの母数として、算出してもよい。たとえば、「男々しくて」のアーティストＺに関する楽曲データ全てを第１のランキングとした場合、歌唱者Ａが歌唱した「男々しくて」の全国採点を第２のランキングとして算出してもよい。同様に歌唱者Ａが歌唱した楽曲のジャンルの全て、またその楽曲の年代を第１のランキングにしてもよい。この場合、歌唱に自信のある歌唱者Ａも、ランキング範囲を広げた時に自分のレベルを確認できるという効果を奏する。
【００９４】
また、本実施形態のカラオケ装置１０においては、歌唱者Ａの嗜好情報であるアーティスト全て、年代やジャンルを上述のように第１のランキングとして母数を算出しても良い。
【００９５】
例えば「アーティスト〇〇」好きの中で、「ロック好き」の中で、「８０年代の曲をよく歌う人」の中で、などの、属性に基づいて第１のランキングを算出する。ただし、この場合には、属性情報として、「アーティスト〇〇好き」や「ロック好き」などの属性が採点情報に予め登録されている。そして、これらの属性情報は、歌唱履歴情報に登録された楽曲の所定の割合以上（例えば８割以上）が当該ジャンルやアーティストの楽曲であるなど当該歌唱者の歌唱履歴情報に基づいて解析され、又は、歌唱者の指定により採点処理をＤＢ３００に登録される際に記録される。
【００９６】
［４．４］変形例４
本実施形態のカラオケ装置１０においては、歌唱者毎のＩＤに紐付られた歌唱履歴の採点結果や属性情報のデータから、歌唱された歌唱データの採点結果を有する歌唱者ＩＤを抽出し、またその属性情報からランキングの母数として説明しているが、楽曲データ毎に、歌唱者ＩＤ、採点結果や属性情報を持つデータテーブルであっても良く、どのようなデータ構造であってもよい。
【符号の説明】
【００９７】
１  …  カラオケシステム
１０  …  通信端末装置
２０  …  ネットワーク
３０  …  データ提供サーバ装置
１１０  …  通信制御部
１２０  …  カラオケ再生部
１３０  …  音声入力処理部
１３１  …  拡声処理部
１４０  …  表示部
１５０  …  表示制御部
１６０  …  記録部
１７０  …  操作部
１８０  …  管理制御部
１８１  …  ＲＯＭ／ＲＡＭ
１８２  …  タイマー
２００  …  採点処理部
２１０  …  採点実行部
２２０  …  ランキング算出部
【図１】
2018087995.tif 000003
【図２】
2018087995.tif 000004
【図３】
2018087995.tif 000005
【図４】
2018087995.tif 000006
【図５】
2018087995.tif 000007
【図６】
2018087995.tif 000008
【図７】
2018087995.tif 000009
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
複数の楽曲データから選択された一の楽曲データを再生して楽音を出力させるとともに、当該楽音の出力に伴って前記選択された楽曲の歌詞を表示手段に表示するカラオケシステムであって、
前記再生された楽曲データに従ってマイクロホンから入力された歌唱者の歌唱音を歌唱音データとして取得する取得手段と、
前記取得した歌唱音データと前記再生された楽曲データにおける歌唱パートの歌唱パートデータとを比較して前記歌唱者の歌唱力を採点する採点手段と、
前記採点された歌唱者の歌唱力を示す採点結果と、前記歌唱者の属性を示す属性情報と、データベースに記録された他の歌唱者における同一の楽曲の採点結果及び当該他の歌唱者の属性を示す属性情報と、に基づいて、前記歌唱者のランキングを算出する算出手段と、
前記算出されたランキングを出力する出力手段と、
を備え、
前記属性情報には、地理的属性、性別の属性、及び、日時の属性を含み、
前記算出手段が、
前記属性情報のうち少なくとも１の属性に関連付けて、第１の母数に基づいて前記歌唱者の第１のランキングを算出するとともに、
前記第１の母数より小さい母数であって、当該第１の母数から、前記第１のランキングの算出時に関連付けられた少なくとも１の属性について限定した第２の母数による前記歌唱者の第２のランキングを算出し、
前記出力手段が、
前記第１のランキングと前記第２のランキングとを関連付けて表示することを特徴とするカラオケシステム。
【請求項２】
請求項１に記載のカラオケシステムにおいて、
前記算出手段が、
複数の前記第２のランキングを算出し、
前記出力手段が、
前記複数の第２のランキングを表示する際に、母数の大きな第２ランキングから当該母数の小さい第２のランキングに切り替えて表示する、カラオケシステム。
【請求項３】
請求項２に記載のカラオケシステムにおいて、
前記算出手段が、
前記複数の第２のランキングとして、前記複数の属性情報のうち１の属性に関する属性について限定した複数のランキングを算出する、カラオケシステム。
【請求項４】
請求項１に記載のカラオケシステムにおいて、
前記算出手段が、
前記複数の第２のランキングとして、前記第１の母数より小さい母数であって種別の異なる複数の属性について前記歌唱者の複数のランキングを算出し、
前記出力手段が、
前記第１のランキング及び前記属性の異なる複数の第２のランキングを関連付けて表示する、カラオケシステム。
【請求項５】
請求項１〜４のいずれか１項に記載のカラオケシステムにおいて、
前記採点手段が、
前記取得した歌唱音データと前記再生された楽曲データにおける歌唱パートの歌唱パートデータとを比較して前記歌唱者の歌唱力を、歌唱中にリアルタイムに、採点し、
前記算出手段が、
前記歌唱者の歌唱中、又は、前記歌唱後に、前記第１のランキング及び前記第２のランキングを算出し、
前記出力手段が、
前記歌唱者の歌唱中、又は、歌唱後に、前記算出された第１のランキング及び第２のランキングを表示する、カラオケシステム。
【請求項６】
請求項１〜５のいずれか１項に記載のカラオケシステムにおいて、
前記歌唱者が歌唱している現在位置を位置情報として特定する特定手段を更に備え、
前記算出手段が、前記特定した位置情報を地理的情報として用いて、前記第１のランキング及び前記第２のランキングの少なくともいずれか一方のランキングを算出する、カラオケシステム。
【請求項７】
複数の楽曲データから選択された一の楽曲データを再生して楽音を出力させるとともに、当該楽音の出力に伴って前記選択された楽曲の歌詞を表示手段に表示するカラオケ装置用のコンピュータを、
前記再生された楽曲データに従ってマイクロホンから入力された歌唱者の歌唱音を歌唱音データとして取得する取得手段、
前記取得した歌唱音データと前記再生された楽曲データにおける歌唱パートの歌唱パートデータとを比較して前記歌唱者の歌唱力を採点する採点手段、
前記採点された歌唱者の歌唱力を示す採点結果と、前記歌唱者の属性を示す属性情報と、データベースに記録された他の歌唱者における同一の楽曲の採点結果及び当該他の歌唱者の属性を示す属性情報と、に基づいて、前記歌唱者のランキングを算出する算出手段、及び、
前記算出されたランキングを出力する出力手段、
として機能させ、
前記属性情報には、地理的属性、性別の属性、及び、日時の属性を含み、
前記算出手段として、
前記属性情報のうち少なくとも１の属性に関連付けて、第１の母数に基づいて前記歌唱者の第１のランキングを算出するとともに、
前記第１の母数より小さい母数であって、当該第１の母数から、前記第１のランキングの算出時に関連付けられた少なくとも１の属性について限定した第２の母数による前記歌唱者の第２のランキングを算出し、
前記出力手段として、
前記第１のランキングと前記第２のランキングとを関連付けて表示するように機能させることを特徴とするプログラム。
【請求項８】
複数の楽曲データから選択された一の楽曲データを再生して楽音を出力させるとともに、当該楽音の出力に伴って前記選択された楽曲の歌詞を表示手段に表示するカラオケ装置にデータを提供するサーバ装置であって、
前記再生された楽曲データに従ってマイクロホンから入力された歌唱者の歌唱音を歌唱音データとして取得する取得手段と、
前記取得した歌唱音データと前記再生された楽曲データにおける歌唱パートの歌唱パートデータとを比較して前記歌唱者の歌唱力を採点する採点手段と、
前記採点された歌唱者の歌唱力を示す採点結果と、前記歌唱者の属性を示す属性情報と、データベースに記録された他の歌唱者における同一の楽曲の採点結果及び当該他の歌唱者の属性を示す属性情報と、に基づいて、前記歌唱者のランキングを算出する算出手段と、
前記算出されたランキングを前記カラオケ装置に配信する配信手段と、
を備え、
前記属性情報には、地理的属性、性別の属性、及び、日時の属性を含み、
前記算出手段が、
前記属性情報のうち少なくとも１の属性に関連付けて、第１の母数に基づいて前記歌唱者の第１のランキングを算出するとともに、
前記第１の母数より小さい母数であって、当該第１の母数から、前記第１のランキングの算出時に関連付けられた少なくとも１の属性について限定した第２の母数による前記歌唱者の第２のランキングを算出し、
前記出力手段が、
前記第１のランキングと前記第２のランキングとを関連付けて表示することを特徴とするサーバ装置。
【請求項９】
複数の楽曲データから選択された一の楽曲データを再生して楽音を出力させるとともに、当該楽音の出力に伴って前記選択された楽曲の歌詞を表示手段に表示するカラオケ装置にデータを提供するサーバ装置を、
前記再生された楽曲データに従ってマイクロホンから入力された歌唱者の歌唱音を歌唱音データとして取得する取得手段、
前記取得した歌唱音データと前記再生された楽曲データにおける歌唱パートの歌唱パートデータとを比較して前記歌唱者の歌唱力を採点する採点手段、
前記採点された歌唱者の歌唱力を示す採点結果と、前記歌唱者の属性を示す属性情報と、データベースに記録された他の歌唱者における同一の楽曲の採点結果及び当該他の歌唱者の属性を示す属性情報と、に基づいて、前記歌唱者のランキングを算出する算出手段、及び、
前記算出されたランキングを前記カラオケ装置に配信する配信手段、
として機能させ、
前記属性情報には、地理的属性、性別の属性、及び、日時の属性を含み、
前記算出手段として、
前記属性情報のうち少なくとも１の属性に関連付けて、第１の母数に基づいて前記歌唱者の第１のランキングを算出するとともに、
前記第１の母数より小さい母数であって、当該第１の母数から、前記第１のランキングの算出時に関連付けられた少なくとも１の属性について限定した第２の母数による前記歌唱者の第２のランキングを算出し、
前記出力手段として、
前記第１のランキングと前記第２のランキングとを関連付けて表示するように機能させることを特徴とするプログラム。
【手続補正２】
【補正対象書類名】明細書
【補正対象項目名】００６０
【補正方法】変更
【補正の内容】
【００６０】
例えば、図３（Ａ）の場合には、ランキング算出部２２０は、図５に示すように、まず、全国ランキングを表示部１４０に表示するとともに、その後に母数が大きい「東京都」の第２ランキングを表示部１４０表示し、最終的に「港区」の第２ランキングを表示部１４０に表示する。